(57)【要約】      （修正有）【課題】歩きながら食することが可能なロールお好み焼き器を提供する。【解決手段】屈曲可能な金属でできた概長方形状のお好み焼き部４を有し、長形状のお好み焼き部の長辺２辺の外周にお好み焼き部４となす角を鈍角となるような面を有する複数の羽２を有するロール部１と、ロール部１の長辺方向の両端部の羽２の短辺方向に挿入可能な衝立３と、を有する。お好み焼き部４の２つの短辺の内、１方が他方より短い辺の長さとなっている。この短辺の長さの長い方に近いお好み焼き部の長辺の羽は設けられておらず、羽２は連続してお好み焼き部４の長辺側に取り付けられている。【選択図】図１
0003234945.tif 000002
【実用新案登録請求の範囲】
【請求項１】
屈曲可能な金属でできた概長方形状のお好み焼き部を有し、前記長形状のお好み焼き部の長辺２辺の外周にお好み焼き部となす角を鈍角となるような面を有する複数の羽を有するロール部と、
前記ロール部の長辺方向の両端部の羽の短辺方向に挿入可能な衝立と、
とを有することを特徴とするお好み焼き器。
【請求項２】
請求項１記載のお好み焼き器において、概長方形であるお好み焼き部の１方の短辺が他方のタ辺より短く、前記お好み焼き部の短辺が長い側の長辺端面まで前記羽が設けられていないことを特徴とするお好み焼き器。
【請求項３】
請求項１または請求項２記載のお好み焼き器において、前記ロール部を巻き取った後のお好み焼きが挿入可能な金属製で屈曲可能な締め付け部を有することを特徴とするお好み焼き器。
【請求項４】
請求項３に記載のお好み焼き器において、円弧面を有する抑え部材を有することを特徴とするお好み焼き器。
【考案の詳細な説明】
【技術分野】
【０００１】  本考案はお好み焼きを製造するお好み焼き器に関し、特にロール型のお好み焼きを製造するお好み焼き器に関するものである
【技術背景】
【０００２】  従来この種のロール形状のお好み焼き器は特許文献１に示すように一般的なフライパンや鉄板上で小麦を主成分とした生地を円盤状に伸ばして焼き、出来上がったお好み焼きをクレープのように巻き取り、そのクレープ状のお好み焼きにイカやネギなど具材をトッピングまたは生地内に入れられるようになっていた。
【先行技術文献】
【特許文献】
【０００３】
【特許文献１】特開２００５−２１８３６７号公報
【考案の概要】
【考案が解決しようとする課題】
【０００４】    従来この種のお好み焼き器は特許文献１に記載されているように一般的なフライパンや鉄板上で小麦を主成分とした生地を円盤状に伸ばして焼き、出来上がったお好み焼きをクレープのように巻き取り、そのクレープ状のお好み焼きにイカやネギなど具材をトッピングまたは生地内に入れられるようになっていたので、クレープのような薄い生地内に入れる具材の種類と量の制約やトッピングとして具材を添加することが通常のお好み焼きとは異なる食感や味になるという課題があった。
【課題を解決するための手段】
【０００５】本考案は、上記事情に鑑みてなされたものであり、本考案の請求項１の記載のお好み焼き器は屈曲可能な金属でできた概長方形状のお好み焼き部を有し、前記長形状のお好み焼き部の長辺２辺の外周にお好み焼き部となす角を鈍角となるような面を有する複数の羽を有するロール部と前記ロール部の長辺方向の両端部の羽の短辺方向に挿入可能な衝立とを有している。【０００６】  また本考案の請求項２の記載のお好み焼き器は請求項１記載のお好み焼き器において、概長方形であるお好み焼き部の１方の短辺が他方のタ辺より短く、前記お好み焼き部の短辺が長い側の長辺端面まで前記羽が設けられていなようになっている。【０００７】  更に本考案の請求項３の記載のお好み焼き器は請求項１または請求項２記載のお好み焼き器において、前記ロール部を巻き取った後のお好み焼きが挿入可能な金属製で屈曲可能な締め付け部を有している。【０００８】また本考案の請求項４の記載のお好み焼き器は請求項３に記載のお好み焼き器において、円弧面を有する抑え部材を有している。
【考案の効果】
【０００９】  本考案の請求項１の記載のお好み焼き器は屈曲可能な金属でできた概長方形状のお好み焼き部を有し、前記長形状のお好み焼き部の長辺２辺の外周にお好み焼き部となす角を鈍角となるような面を有する複数の羽を有するロール部と前記ロール部の長辺方向の両端部の羽の短辺方向に挿入可能な衝立とを有しているので、ロール部のお好み焼き部に衝立をセットした後、小麦粉を主成分としたお好み焼き生地を広げ、直接加熱或いは鉄板やフライパン状にロール部を載せて加熱することでお好み焼きができ、ロール部は屈曲可能であるので、出来上がったお好み焼きをロール部に乗せたまま回転することで海苔巻き状のロールお好み焼きとすることが可能となるので、通常のお好み焼きの食感を維持したロール状のお好み焼きを容易に提供することができる。【００１０】  また本考案の請求項２の記載のお好み焼き器は請求項１記載のお好み焼き器において、概長方形であるお好み焼き部の１方の短辺が他方のタ辺より短く、前記お好み焼き部の短辺が長い側の長辺端面まで前記羽が設けられていないようになっているので、ロール部の焼上がったお好み焼きを巻く場合、巻き始めも巻きやすく、その後もロール部の羽が互いにぶつかり合うことなく容易に巻き取れるという利点がある。【００１１】  更に本考案の請求項３の記載のお好み焼き器は請求項１または請求項２記載のお好み焼き器において、前記ロール部を巻き取った後のお好み焼きが挿入可能な金属製で屈曲可能な締め付け部を有しているので、まだ熱い状態のお好み焼きを簡単によりロール状に成型できる利点がある。【００１２】  また本考案の請求項４の記載のお好み焼き器は請求項３に記載のお好み焼き器において、円弧面を有する抑え部を有しているので、締め付け部だけでは成型できない箇所もきれいに成型できる利点がある。
【図面の簡単な説明】
【００１３】
【図１】本考案の第一実施例のロール部および衝立の斜視図である。
【図２】は本考案の第一実施例の締め付け部の斜視図である。
【図３】は図１のロール部で完成したお好み焼を巻き取っている様子を示す斜視図である。
【図４】本考案第一実施例の締め付け部お呼び抑え部を使って、お好み焼きを整形している様子を示す斜視図である
【考案を実施するための形態】
【００１４】  以下、本考案を適用したお好み焼き器を図面に基づいて詳述する。なお、各図面において、同じ符号を付した部材等は、同一又は類似の構成のものであり、これらについての重複説明は省略するものとする。また、各図面においては、説明に不要な部材等は適宜、図示を省略している。
【００１５】    図１〜図４を用いて本考案を適用したお好み焼き器の第一実施形態について説明する。図１は本考案の第一実施例のロール部および衝立の斜視図であり、図２は本考案の第一実施例の締め付け部の斜視図、図３は図１のロール部で完成したお好み焼を巻き取っている様子を示す斜視図、図４は本考案第一実施例の締め付け部お呼び抑え部を使って、お好み焼きを整形している様子を示す斜視図である
【００１６】    図１に示すように本考案の第一実施形態のお好み焼き器はロール部１と衝立３を有し、ロール部１はお好み焼き部４と羽２からなる。お好み焼き部４の２つの短辺の内、１方が他方より短い辺の長さとなっている。この短辺の長さの長い方に近いお好み焼き部の長辺の羽は設けられておらず、羽２は連続してお好み焼き部４の長辺側に取り付けられている。
【００１７】    図１に示す第一実施形態のお好み焼き器のロール部１はアルミ箔のような薄い金属部材で作られており、羽２や衝立３も金属からなる。
【００１８】  以上説明したように本考案の第一実施形態のお好み焼き器は構成されているので、衝立３を付けたお好み焼き部４に、小麦粉を主成分とした生地を載せても外部に零れ落ちることなく、加熱可能でお好み焼きを作ることができる。
【００１９】  加熱して出来上がったお好み焼きは、衝立３を外してロール部１を丸めることで慨ロール状のお好み焼きとすることができる。
【００２０】    更に、図２に示すような金属製で屈曲可能な締め付け部５と抑え部６を使って、図４に示すように慨ロール状のお好み焼きを整形して、歩きながらでも食することが可能なロールお好み焼きを提供することができる。
【符号の説明】
【００２１】    １  ロール部
２  羽
３  衝立
４  お好み焼き部
５  締め付け
６  抑え部
【図１】
0003234945.tif 000003
【図２】
0003234945.tif 000004
【図３】
0003234945.tif 000005
【図４】
0003234945.tif 000006
【手続補正書】
【提出日】令和3年7月19日(2021.7.19)
【手続補正１】
【補正対象書類名】実用新案登録請求の範囲
【補正対象項目名】全文
【補正方法】変更
【補正の内容】
【実用新案登録請求の範囲】
【請求項１】
屈曲可能な金属でできた概長方形状のお好み焼き部を有し、前記長形状のお好み焼き部の長辺２辺の外周にお好み焼き部となす角を鈍角となるような面を有する複数の羽を有するロール部と、
前記ロール部の長辺方向の両端部の羽の短辺方向に挿入可能な衝立と、
を有することを特徴とするお好み焼き器。
【請求項２】
請求項１記載のお好み焼き器において、概長方形であるお好み焼き部の１方の短辺が他方の短辺より短く、前記お好み焼き部の短辺が長い側の長辺端面まで前記羽が設けられていないことを特徴とするお好み焼き器。
【請求項３】
請求項１または請求項２記載のお好み焼き器において、前記ロール部を巻き取った後のお好み焼きが挿入可能な金属製で屈曲可能な締め付け部を有することを特徴とするお好み焼き器。
【請求項４】
請求項３に記載のお好み焼き器において、円弧面を有する抑え部材を有することを特徴とするお好み焼き器。